(57)【要約】【課題】第１の枠体と第２の枠体とが外れてばらばらとならないように例えばねじを設けて止める必要があり、また、嵌り込み構造で広がらないような構造を別途装備する必要がるという課題があった。【解決手段】第１の枠体２２は、第１の側板２２ａと、第１の端子台板２２ｂと、第１のねじ貫通孔２４とから構成され、第２の枠体２３は、第２の側板２３ａと、第１の端子台板２２ａの上側に当接する第２の端子台板２３ｂと、第１のねじ貫通孔２４より大きい径の第２のねじ貫通孔２６とから構成され、第２のねじ貫通孔２６内に配置される雌ねじ部２８ｂが形成されたねじ嵌合体２８ａを有する端子板２８と、端子板２８のねじ嵌合体２８ａの雌ねじ部２８ｂに雄ねじ部３１ｂが螺入されるとともに、雄ねじ部３１ｂが第１の端子台板２２ａの第１のねじ貫通孔２４内に嵌挿される端子ねじ３１とを設けたものである。【選択図】図５
2011040204.tif 000002
【特許請求の範囲】
【請求項１】
第１の枠体と、前記第１の枠体と相対して配置される第２の枠体と、端子ねじとから構成される端子台を有する遮断器において、
前記第１の枠体は、第１の側板と、前記第１の側板の内方に設けられた前記第２の枠体側に伸長する第１の端子台板と、前記第１の端子台板に設けられた第１のねじ貫通孔とから構成され、
前記第２の枠体は、第２の側板と、前記第２の側板の内方に設けられた前記第１の枠体側に伸長するとともに前記第１の端子台板の上側に当接する第２の端子台板と、前記第２の端子台板に前記第１のねじ貫通孔と同軸上に設けられ前記第１のねじ貫通孔より大きい径の第２のねじ貫通孔とから構成され、
前記第２の端子台板上に配置され、前記第２のねじ貫通孔内に配置される前記第１のねじ貫通孔と同軸上で雌ねじ部が形成されたねじ嵌合体を有する端子板と、
前記端子板の前記ねじ嵌合体の前記雌ねじ部に雄ねじ部が螺入されるとともに、前記雄ねじ部が前記第１の端子台板の前記第１のねじ貫通孔内に嵌挿される端子ねじとを
備えたことを特徴とする遮断器。
【請求項２】
前記第１の端子台板の前記第１のねじ貫通孔は前記雄ねじ部の外形部が接触しない小さい孔で構成したことを特徴とする請求項１記載の遮断器。
【請求項３】
前記端子板はＬ字状で構成され、前記端子板のＬ字状部を前記第１の端子台板と前記第２の端子台板とをそれぞれ貫通する貫通部に嵌合させたことを特徴とする請求項１または２記載の遮断器。
【発明の詳細な説明】
【技術分野】
【０００１】
この発明は、一方側端子台を他方側端子台にその他方側端子台に形成された雌ネジ部に端子ネジを螺入して固着させる端子装置に関するものである。
【背景技術】
【０００２】
例えば、従来の遮断器としては図８に示すようなものがある。図８は従来の遮断器を示す斜視図である。図８において、１は例えば漏電遮断器や回路遮断器などの遮断器、２は合成樹脂材で形成された箱形の筐体ベースであり、過電流検出素子や開閉接点などからなる遮断機構（図示せず）が収納されている。３は筐体ベース２と同様の合成樹脂材で形成された第１の筐体カバーであり、筐体ベース２を覆うように着脱自在に取付けられている。４は筐体ベース２の端縁に配置され、かつ、前面から端子ねじ５を締付操作できるようになされた通電用端子装置であり、過電流検出素子や開閉接点（図示せず）に接続されている。
【０００３】
６は筐体ベース２と同様の合成樹脂材で形成された第２の筐体カバーであり、第１の筐体カバー３を覆うように取付けられている。６ａは遮断機構の操作ハンドル７を第２の筐体カバー６の前面に露出させるための貫通孔である。６ｂは端子ねじ用切通し部であり、第１の筐体カバー３及び第２の筐体カバー６の前面側から端子ねじ５を締付操作できるように切通しされた部分である。（特開２００３−３４６６３３号公報参照）
【０００４】
このように、従来の遮断器としては一般的な構成となっている。そして、付属装置用の端子台が遮断器に装備される。例えば、遮断器内の内部リード線により付属装置用の端子台が遮断器に装備されるものとして図９に示すものがある。図９は従来の遮断器における端子台を示す平面図である。図９において、付属装置用の端子台８は、本体９と、本体９に設けられ遮断器１の内部リード線１０と、遮断器１外部の外部リード線（図示せず）とを接続する端子部１１と、本体９の両側部に設けた絶縁板１２，１３とから構成されている。（特開２００６−２０２５９５号公報参照）
【０００５】
ところで、遮断器に装備される付属装置用端子台は例えば図１０および図１１に示すような嵌め合わせ構造として構成されている。図１０は従来の遮断器における端子台を示す正面図である。図１１は従来の遮断器における端子台を示す側面図である。これら各図において、付属装置用の端子台１４は、第１の枠体１５と第２の枠体１６にて基本的に構成され、第１の枠体１５に第２の枠体１６が矢印にて示す方向に挿通されて嵌り込まれるようになっている。これら第１の枠体１５と第２の枠体１６は絶縁材で構成される。
【０００６】
第１枠体１５には遮断器１の内部リード線１０が取り付けられている。また、第１枠体１５には遮断器１外部の外部リード線（図示せず）とを接続する端子ねじ１７が設けられている。第１枠体１５の嵌合部１８内に第２の枠体１６の嵌合体１９が嵌り込んで一体化されるようになっている。そして、第１の枠体１５と第２の枠体１６との嵌り込み状態が解除されないように、すなわち、第１の枠体１５と第２の枠体１６とが外れてばらばらとならないように例えばねじ２０により止めている。
【先行技術文献】
【特許文献】
【０００７】
【特許文献１】特開２００３−３４６６３３号公報
【特許文献２】特開２００６−２０２５９５号公報
【発明の概要】
【発明が解決しようとする課題】
【０００８】
上述した従来の遮断器において、付属装置用の端子台１４の下方側に位置する端子ねじ１７を図１２に示すようにドライバー２１により取り付け、あるいは取り外す際に、ドライバー２１が斜めになり、付属装置用の端子台１４の第１の枠体１５と第２の枠体１６との嵌り込み状態を解除、すなわち、第１の枠体１５と第２の枠体１６とが外れてばらばらとならないように例えばねじ２０を設け、そのねじ２０により締付けて止める必要があり、また、嵌り込み構造で広がらないような構造を別途装備する必要があり、モジュール全体が大形化したり、コストアップの要因となるという課題があった。
【０００９】
この発明は上記のような課題を解決するためになされたものであり、簡単な構成により第１の枠体と第２の枠体とを確実に固定することができる遮断器を提供することを目的とする。
【課題を解決するための手段】
【００１０】
この発明に係わる遮断器は、第１の枠体と、前記第１の枠体と相対して配置される第２の枠体と、端子ねじとから構成される端子台を有する遮断器において、前記第１の枠体は、第１の側板と、前記第１の側板の内方に設けられた前記第２の枠体側に伸長する第１の端子台板と、前記第１の端子台板に設けられた第１のねじ貫通孔とから構成され、前記第２の枠体は、第２の側板と、前記第２の側板の内方に設けられた前記第１の枠体側に伸長するとともに前記第１の端子台板の上側に当接する第２の端子台板と、前記第２の端子台板に前記第１のねじ貫通孔と同軸上に設けられ前記第１のねじ貫通孔より大きい径の第２のねじ貫通孔とから構成され、前記第２の端子台板上に配置され、前記第２のねじ貫通孔内に配置される前記第１のねじ貫通孔と同軸上で雌ねじ部が形成されたねじ嵌合体を有する端子板と、前記端子板の前記ねじ嵌合体の前記雌ねじ部に雄ねじ部が螺入されるとともに、前記雄ねじ部が前記第１の端子台板の前記第１のねじ貫通孔内に嵌挿される端子ねじとを設けたものである。
【発明の効果】
【００１１】
この発明に係わる遮断器は、簡単な構成により第１の枠体と第２の枠体とを確実に固定することができる遮断器を得ることができる。
【図面の簡単な説明】
【００１２】
【図１】この発明の実施の形態１に係わる遮断器における端子台を示す要部斜視図である。
【図２】この発明の実施の形態１に係わる遮断器における端子台の第１の枠体を示す要部斜視図である。
【図３】この発明の実施の形態１に係わる遮断器における端子台の第２の枠体を示す要部斜視図である。
【図４】この発明の実施の形態１に係わる遮断器における端子台の第２の枠体を除いた状態を示す斜視図である。
【００１３】
【図５】この発明の実施の形態１に係わる遮断器における端子台の第２の枠体を除いた状態を示す要部拡大斜視図である。
【図６】この発明の実施の形態１に係わる遮断器における端子台の第２の枠体を除いた状態を示す要部拡大斜視図である。
【図７】この発明の実施の形態１に係わる遮断器における端子台を示す要部断面正面図である。
【００１４】
【図８】従来の遮断器を示す斜視図である。
【図９】従来の遮断器における端子台を示す平面図である。
【図１０】従来の遮断器における端子台を示す正面図である。
【図１１】従来の遮断器における端子台を示す側面図である。
【図１２】従来の遮断器における端子台を示す断面正面図である。
【発明を実施するための形態】
【００１５】
実施の形態１.
以下、この発明の実施の形態１を図１ないし図７に基づいて説明する。図１はこの発明の実施の形態１に係わる遮断器における端子台を示す要部斜視図である。図２はこの発明の実施の形態１に係わる遮断器における端子台の第１の枠体を示す要部斜視図である。図３はこの発明の実施の形態１に係わる遮断器における端子台の第２の枠体を示す要部斜視図である。図４はこの発明の実施の形態１に係わる遮断器における端子台の第２の枠体を除いた状態を示す斜視図である。図５はこの発明の実施の形態１に係わる遮断器における端子台の第２の枠体を除いた状態を示す要部拡大斜視図である。図６はこの発明の実施の形態１に係わる遮断器における端子台の第２の枠体を除いた状態を示す要部拡大斜視図である。図７はこの発明の実施の形態１に係わる遮断器における端子台を示す要部断面正面図である。
【００１６】
これら各図において、２２は第１の枠体であり、この第１の枠体２２は、第１の側板２２ａと、この第１の側板２２ａの内方に設けられた後述する第２の枠体２３側に伸長する第１の端子台板２３ｂと、この第１の端子台板２３ｂに設けられた第１のねじ貫通孔２４とから構成されている。２３は第２の枠体であり、この第２の枠体２３は、第２の側板２３ａと、この第２の側板２３ａの内方に設けられた第１の枠体２２側に伸長するとともに第１の端子台板２２ｂの上側に当接する第２の端子台板２３ｂと、この第２の端子台板２３ｂに第１のねじ貫通孔２４と同軸上に設けられ第１のねじ貫通孔２４より大きい径の第２のねじ貫通孔２６とから構成されている。
【００１７】
２５および２７は第１の端子台板２２ｂおよび第２の端子台板２３ｂをそれぞれ貫通する第１の貫通部および第２の貫通部であり、後述する端子板２８のＬ字状部２８ｃが嵌合される。２８は第２の端子台板２３ｂ上に配置され、その第２の端子台板２３ｂに設けられた第２のねじ貫通孔２６内に配置される第１のねじ貫通孔２４と同軸上で雌ねじ部２８ｂが形成されたねじ嵌合体２８ａを有する端子板である。この端子板２８は図では一例としてＬ字状に構成され、その端子板２８のＬ字状部２８ｃが第１の貫通部２５および第２の貫通部２７に嵌合されている。
【００１８】
２９は座金である。３０は外部端子であり、例えば丸形圧着端子などから構成され、図示しないリード線が取り付けられる。３１は端子板２８のねじ嵌合体２８ａの雌ねじ部２８ｂに雄ねじ部３１ａが螺入されるとともに、雄ねじ部３１ａが第１の端子台板２２ｂの第１のねじ貫通孔２４内に嵌挿される端子ねじであり、３１ｂはねじ頭部である。
【００１９】
次に動作について説明する。第１の枠体２２に対し、第２の枠体２３の第２の端子台板２３ｂが第１の枠体２２の第１の端子台板２２ｂ上に当接するように合体させる。第２の端子台板２３ｂ上に端子板２８を載置し、かつ端子板２８のねじ嵌合体２８ａを第２の端子台板２３ｂに設けられた第２のねじ貫通孔２６内に配置させる。また、端子板２８のＬ字状部２８ｃが第１の貫通部２５および第２の貫通部２７に嵌合され、端子板２８が保持される。
【００２０】
そして、端子板２８上に座金２９、外部端子３０を配置した後、端子ねじ３１の雄ねじ部３１ａを座金２９、外部端子３０に貫挿し、端子板２８のねじ嵌合体２８ａに螺入する。端子ねじ３１の雄ねじ部３１ａが端子板２８のねじ嵌合体２８ａを螺通すると、第１の端子台板２２ｂの第１のねじ貫通孔２４内に挿通していく。端子ねじ３１の締め付けが完了すると図７に示すような状態となる。
【００２１】
端子ねじ３１の取り付けおよび取り外しは上述した従来のと同様にドライバー２１を用いて行う。この実施の形態１においては、例えば、ドライバー２１により端子ねじ３１を締め付けている際に、斜めに傾いて第１の枠体２２の第１の側板２２ａに当たってその第１の側板２２ａを第２の枠体２３から外れる方向の力が作用する。すなわち、図６に示すように、第１の枠体２２の第１の側板２２ａに設けた第１の端子台板２２ｂが矢印Ｆ方向に移動させる力が作用する。
【００２２】
この実施の形態１においては、第１の端子台板２２の第１のねじ貫通孔２４は端子ねじ３１の雄ねじ部３１ａの外形部が接触しない程度のできるだけ小さい孔で構成しているので、第１の端子台板２２ｂに矢印Ｆ方向に移動させる力が作用したとしても、第１の端子台板２２ｂの第１のねじ貫通孔２４が端子ねじ３１の雄ねじ部３１ａの外形部と接触してそれ以上の移動が阻止される。したがって、ドライバー２１が斜めに傾いて第１の枠体２２の第１の側板２２ａに当たったとしても第１の側板２２ａが第２の枠体２３から外れることはなく、信頼性の高い遮断器を得ることができる。
【００２３】
また、上述した従来の遮断器のように、第１の枠体と第２の枠体との嵌り込み構造で広がらないような構造を別途装備する必要がなくなり、モジュール全体の小型化やコスト低減を図ることができる遮断器を得ることができる。
【００２４】
なお、上述した実施の形態１において、端子板２８はＬ字状部２８ｂを有し、第１の端子台板２２ｂおよび第２の端子台板２３ｂをそれぞれ貫通する第１の貫通部２５および第２の貫通部２７に嵌合させて保持する場合について述べたが、端子板２８はこれに限定されるものではなく、端子板２８を保持することができる構造であれば、Ｌ字状部２８ｃ以外のものでもよく、この場合においても上述した実施の形態１と同様の効果を奏する。
【産業上の利用可能性】
【００２５】
この発明は、簡単な構成により第１の枠体と第２の枠体とを確実に固定することができる遮断器の実現に好適である。
【符号の説明】
【００２６】
１  遮断器                            ２２  第１の枠体
２２ａ  第１の側板                    ２２ｂ  第１の端子台板
２３ａ  第２の側板                    ２３ｂ  第２の端子台板
２４  第１のねじ貫通孔                ２６  第２のねじ貫通孔
２８  端子板                          ２８ａ  嵌合体
２８ｂ  雌ねじ部                      ３１  端子ねじ
【図１】
2011040204.tif 000003
【図２】
2011040204.tif 000004
【図３】
2011040204.tif 000005
【図４】
2011040204.tif 000006
【図５】
2011040204.tif 000007
【図６】
2011040204.tif 000008
【図７】
2011040204.tif 000009
【図８】
2011040204.tif 000010
【図９】
2011040204.tif 000011
【図１０】
2011040204.tif 000012
【図１１】
2011040204.tif 000013
【図１２】
2011040204.tif 000014